(57)【特許請求の範囲】
【請求項１】
画像を表示する表示パネルと、
前記画像がスキャニングされる方向に配列された複数の発光ブロックを含み、
前記発光ブロックが各々対応する前記表示パネルの表示ブロックに光を提供する光源部と、
前記表示ブロックに対して、左眼用または右眼用画像が完成している第１区間に最大輝度の光を発生し、前記左眼用または右眼用画像からブラック画像に変わる過渡画像が表示されている第２区間に前記最大輝度から設定輝度まで徐々に減少する光を発生し、前記ブラック画像が完成している区間と次の前記左眼用または前記右眼用画像が完成していない区間とを含む第３区間に光を遮断する、ように前記光源部を駆動する光源駆動部と、
前記第１区間及び第２区間にハイレベルを有し、前記第３区間にローレベルを有するアナログの駆動制御信号と、前記第１区間に最大レベルを有し、前記第２区間に前記最大レベルから設定レベルまで徐々に減少するレベルを有し、前記第３区間に最小レベルを有するアナログの輝度制御信号とを生成して信号生成部に提供するタイミング制御部と、を含み、
前記光源駆動部は、
３次元イネーブル信号に応答して２次元画像モードで生成する電流信号より高い３次元画像モードに設定された電流信号を生成する電流生成部と、
前記電流信号に基づいて前記発光ブロックに駆動信号を提供する信号生成部と、を含み、
前記信号生成部は、前記アナログの駆動制御信号及びアナログの輝度制御信号に基づいて複数の駆動信号を生成して前記発光ブロックに提供する複数の発光駆動部を含むことを特徴とする表示装置。
【請求項２】
画像を表示する表示パネルと、
前記画像がスキャニングされる方向に配列された複数の発光ブロックを含み、
前記発光ブロックが各々対応する前記表示パネルの表示ブロックに光を提供する光源部と、
前記表示ブロックに対して、左眼用または右眼用画像が完成している第１区間に最大輝度の光を発生し、前記左眼用または右眼用画像からブラック画像に変わる過渡画像が表示されている第２区間に前記最大輝度から設定輝度まで徐々に減少する光を発生し、前記ブラック画像が完成している区間と次の前記左眼用または前記右眼用画像が完成していない区間とを含む第３区間に光を遮断する、ように前記光源部を駆動する光源駆動部と、
前記第１区間に最大レベルを有し、前記第２区間に前記最大レベルから設定レベルまで徐々に減少するレベルを有し、前記第３区間に最小レベルを有するアナログの光源制御信号を生成して信号生成部に提供するタイミング制御部と、を含み、
前記光源駆動部は、
３次元イネーブル信号に応答して２次元画像モードで生成する電流信号より高い３次元画像モードに設定された電流信号を生成する電流生成部と、
前記電流信号に基づいて前記発光ブロックに駆動信号を提供する信号生成部と、を含み、
前記信号生成部は、前記アナログの光源制御信号に基づいて複数の駆動信号を生成して前記発光ブロックに提供する複数の発光駆動部を含むことを特徴とする表示装置。
【請求項３】
画像を表示する表示パネルと、
前記画像がスキャニングされる方向に配列された複数の発光ブロックを含み、
前記発光ブロックが各々対応する前記表示パネルの表示ブロックに光を提供する光源部と、
前記表示ブロックに対して、左眼用または右眼用画像が完成している第１区間に最大輝度の光を発生し、前記左眼用または右眼用画像からブラック画像に変わる過渡画像が表示されている第２区間に前記最大輝度から設定輝度まで徐々に減少する光を発生し、前記ブラック画像が完成している区間と次の前記左眼用または前記右眼用画像が完成していない区間とを含む第３区間に光を遮断する、ように前記光源部を駆動する光源駆動部と、
前記第１区間及び第２区間にハイレベルを有し、前記第３区間にローレベルを有するアナログの駆動制御信号と、前記第１区間に最大レベルを有し、前記第２区間に前記最大レベルから設定レベルまで徐々に減少するレベルを有し、前記第３区間に最小レベルを有するデジタルの輝度制御信号を前記光源駆動部に提供するタイミング制御部と、を含み、
前記光源駆動部は、
３次元イネーブル信号に応答して２次元画像モードで生成する電流信号より高い３次元画像モードに設定された電流信号を生成する電流生成部と、
デジタルの制御信号をアナログの制御信号に変換する信号変換部と、
前記電流信号に基づいて前記発光ブロックに駆動信号を提供する信号生成部と、を含み、
前記アナログの駆動制御信号は、前記信号生成部に提供され、前記デジタルの輝度制御信号は前記信号変換部でアナログの輝度制御信号に変換されて前記信号生成部に提供され、
前記信号生成部は、前記アナログの駆動制御信号及びアナログの輝度制御信号に基づいて複数の駆動信号を生成して前記発光ブロックに提供する複数の発光駆動部を含むことを特徴とする表示装置。
【請求項４】
画像を表示する表示パネルと、
前記画像がスキャニングされる方向に配列された複数の発光ブロックを含み、
前記発光ブロックが各々対応する前記表示パネルの表示ブロックに光を提供する光源部と、
前記表示ブロックに対して、左眼用または右眼用画像が完成している第１区間に最大輝度の光を発生し、前記左眼用または右眼用画像からブラック画像に変わる過渡画像が表示されている第２区間に前記最大輝度から設定輝度まで徐々に減少する光を発生し、前記ブラック画像が完成している区間と次の前記左眼用または前記右眼用画像が完成していない区間とを含む第３区間に光を遮断する、ように前記光源部を駆動する光源駆動部と、
前記第１区間及び第２区間にハイレベルを有し、前記第３区間にローレベルを有するデジタルの駆動制御信号と、
前記第１区間に最大レベルを有し、前記第２区間に前記最大レベルから設定レベルまで徐々に減少するレベルを有し、前記第３区間に最小レベルを有するデジタルの輝度制御信号を前記光源駆動部に提供するタイミング制御部と、を含み、
前記光源駆動部は、
３次元イネーブル信号に応答して２次元画像モードで生成する電流信号より高い３次元画像モードに設定された電流信号を生成する電流生成部と、
デジタルの制御信号をアナログの制御信号に変換する信号変換部と、
前記電流信号に基づいて前記発光ブロックに駆動信号を提供する信号生成部と、を含み、
前記デジタルの駆動制御信号及び輝度制御信号は、前記信号変換部でアナログの駆動制御信号及び輝度制御信号に変換されて前記信号生成部に提供され、
前記信号生成部は、前記アナログの駆動制御信号及びアナログの輝度制御信号に基づいて複数の駆動信号を生成して前記発光ブロックに提供する複数の発光駆動部を含むことを特徴とする表示装置。
【請求項５】
画像を表示する表示パネルと、
前記画像がスキャニングされる方向に配列された複数の発光ブロックを含み、
前記発光ブロックが各々対応する前記表示パネルの表示ブロックに光を提供する光源部と、
前記表示ブロックに対して、左眼用または右眼用画像が完成している第１区間に最大輝度の光を発生し、前記左眼用または右眼用画像からブラック画像に変わる過渡画像が表示されている第２区間に前記最大輝度から設定輝度まで徐々に減少する光を発生し、前記ブラック画像が完成している区間と次の前記左眼用または前記右眼用画像が完成していない区間とを含む第３区間に光を遮断する、ように前記光源部を駆動する光源駆動部と、
前記第１区間に最大レベルを有し、前記第２区間に前記最大レベルから設定レベルまで徐々に減少するレベルを有し、前記第３区間に最小レベルを有するデジタルの光源制御信号を前記光源駆動部に提供するタイミング制御部と、を含み、
前記光源駆動部は、
３次元イネーブル信号に応答して２次元画像モードで生成する電流信号より高い３次元画像モードに設定された電流信号を生成する電流生成部と、
デジタルの制御信号をアナログの制御信号に変換する信号変換部と、
前記電流信号に基づいて前記発光ブロックに駆動信号を提供する信号生成部と、を含み、
前記デジタルの光源制御信号は、前記信号変換部でアナログの光源制御信号に変換されて前記信号生成部に提供され、
前記信号生成部は、前記アナログの光源制御信号に基づいて複数の駆動信号を生成して前記発光ブロックに提供する複数の発光駆動部を含むことを特徴とする表示装置。
【請求項６】
前記表示パネルに前記左眼用のデータ信号、前記ブラック画像のデータ信号、前記右眼用のデータ信号、及び前記ブラック画像のデータ信号を順次にフレーム単位で提供するパネル駆動部をさらに含むことを特徴とする請求項１ないし５のいずれか１項に記載の表示装置。
【請求項７】
前記光源部は、
前記表示ブロックに前記左眼用または右眼用画像のデータ信号が提供された時点より遅延された第１時点から第２時点まで前記最大輝度の光を前記表示ブロックに提供し、
前記第１時点は前記左眼用または右眼用画像のデータ信号に対する前記表示ブロックの液晶応答率が高臨界値に到達する時点であって、前記第２時点は前記ブラック画像のデータ信号が提供された時点であることを特徴とする請求項１ないし５のいずれか１項に記載の表示装置。
【請求項８】
前記光源部は、前記第２時点から第３時点まで前記徐々に減少する光を前記表示ブロックに提供し、
前記第３時点は前記左眼用または右眼用画像のデータ信号に対する前記液晶応答率が低臨界値に到達する時点であることを特徴とする請求項７に記載の表示装置。
【発明の詳細な説明】
【技術分野】
【０００１】
本発明は３次元画像表示装置に係り、より詳しくは、３次元画像の表示品質を向上させるための３次元画像表示方法を遂行する表示装置に関する。
【背景技術】
【０００２】
一般に液晶表示装置は２次元平面画像を表示する。最近、ゲーム、映画などの分野で３次元立体画像に対する需要の増加に伴なって、３次元立体画像を表示する液晶表示装置が開発されている。
【０００３】
通常、３次元立体画像は、人の両眼を通じての両眼視差（ｂｉｎｏｃｕｌａｒ  ｐａｒａｌｌａｘ）の原理を利用して立体画像を表示する。例えば、人の両眼は、一定程度離れているので、各々の目で異なる角度で観察した画像が、脳内に入力される。立体画像表示装置は、こうした両眼視差を利用している。
【０００４】
両眼視差を利用する立体画像表示装置の方式としては、立体メガネ方式（ｓｔｅｒｅｏｓｃｏｐｉｃ）と非立体メガネ方式（ａｕｔｏｓｔｅｒｅｏｓｃｏｐｉｃ）がある。立体メガネ方式には、両眼に各々異なる偏光軸を有する偏光フィルタによる受動的（ｐａｓｓｉｖｅ）な、偏光メガネ（Ｐｏｌａｒｉｚｅｄ  Ｇｌａｓｓｅｓ）方式と、時間分割して左眼画像と右眼画像を周期的に表示し、この周期に同期して左眼シャッタと右眼シャッタを開閉する眼鏡をかける能動的（ａｃｔｉｖｅ）な、シャッタメガネ（Ｓｈｕｔｔｅｒ  Ｇｌａｓｓ）方式などがある。
【０００５】
偏光メガネ方式は、左眼画像と右眼画像を分離するために使われる偏光フィルタによって３次元画像の輝度が低下する短所を有している。また、シャッタメガネ方式は液晶の応答速度が速いほど左眼画像と右眼画像のクロストークが改善されるので、液晶の応答速度が最も重要であると言える。液晶の応答速度特性は物理的限界があって、これを克服するためにバックライトをスキャニング駆動して左眼画像と右眼画像のクロストークを改善する方案が適用されている。しかし、バックライトスキャニング駆動は３次元画像の輝度を低下させる短所を有している。
【先行技術文献】
【特許文献】
【０００６】
【特許文献１】韓国特許出願公開第２０１０−００１２５９９号明細書
【特許文献２】特開２００５−０４９８２２号公報
【特許文献３】韓国特許出願公開第２００７−００６９７０７号明細書
【発明の概要】
【発明が解決しようとする課題】
【０００７】
本発明はシャッタメガネ方式に係る上記従来の問題点に鑑みてなされたものであって、本発明の目的は、輝度を向上した３次元画像の表示方法を提供することにある。
【０００８】
本発明の他の目的は、輝度を向上した３次元画像の表示方法を遂行する表示装置を提供することにある。
【課題を解決するための手段】
【０００９】
上述の本発明の目的を実現するための一実施形態に係る表示装置は、画像を表示する表示パネルと、前記画像がスキャニングされる方向に配列された複数の発光ブロックを含み、前記発光ブロックが各々対応する前記表示パネルの表示ブロックに光を提供する光源部と、前記表示ブロックに対して、左眼用または右眼用画像が完成している第１区間に最大輝度の光を発生し、前記左眼用または右眼用画像からブラック画像に変わる過渡画像が表示されている第２区間に前記最大輝度から設定輝度まで徐々に減少する光を発生し、前記ブラック画像が完成している区間と次の前記左眼用または前記右眼用画像が完成していない区間とを含む第３区間に光を遮断する、ように前記光源部を駆動する光源駆動部と、前記第１区間及び第２区間にハイレベルを有し、前記第３区間にローレベルを有するアナログの駆動制御信号と、前記第１区間に最大レベルを有し、前記第２区間に前記最大レベルから設定レベルまで徐々に減少するレベルを有し、前記第３区間に最小レベルを有するアナログの輝度制御信号とを生成して信号生成部に提供するタイミング制御部と、を含み、前記光源駆動部は、３次元イネーブル信号に応答して２次元画像モードで生成する電流信号より高い３次元画像モードに設定された電流信号を生成する電流生成部と、前記電流信号に基づいて前記発光ブロックに駆動信号を提供する信号生成部と、を含み、前記信号生成部は、前記アナログの駆動制御信号及びアナログの輝度制御信号に基づいて複数の駆動信号を生成して前記発光ブロックに提供する複数の発光駆動部を含むことを特徴とする。
【００１３】
上述の本発明の目的を実現するための一実施形態に係る表示装置は、画像を表示する表示パネルと、前記画像がスキャニングされる方向に配列された複数の発光ブロックを含み、前記発光ブロックが各々対応する前記表示パネルの表示ブロックに光を提供する光源部と、前記表示ブロックに対して、左眼用または右眼用画像が完成している第１区間に最大輝度の光を発生し、前記左眼用または右眼用画像からブラック画像に変わる過渡画像が表示されている第２区間に前記最大輝度から設定輝度まで徐々に減少する光を発生し、前記ブラック画像が完成している区間と次の前記左眼用または前記右眼用画像が完成していない区間とを含む第３区間に光を遮断する、ように前記光源部を駆動する光源駆動部と、前記第１区間に最大レベルを有し、前記第２区間に前記最大レベルから設定レベルまで徐々に減少するレベルを有し、前記第３区間に最小レベルを有するアナログの光源制御信号を生成して信号生成部に提供するタイミング制御部と、を含み、前記光源駆動部は、３次元イネーブル信号に応答して２次元画像モードで生成する電流信号より高い３次元画像モードに設定された電流信号を生成する電流生成部と、前記電流信号に基づいて前記発光ブロックに駆動信号を提供する信号生成部と、を含み、前記信号生成部は、前記アナログの光源制御信号に基づいて複数の駆動信号を生成して前記発光ブロックに提供する複数の発光駆動部を含むことを特徴とする。
【００１５】
上述の本発明の目的を実現するための一実施形態に係る表示装置は、画像を表示する表示パネルと、前記画像がスキャニングされる方向に配列された複数の発光ブロックを含み、前記発光ブロックが各々対応する前記表示パネルの表示ブロックに光を提供する光源部と、前記表示ブロックに対して、左眼用または右眼用画像が完成している第１区間に最大輝度の光を発生し、前記左眼用または右眼用画像からブラック画像に変わる過渡画像が表示されている第２区間に前記最大輝度から設定輝度まで徐々に減少する光を発生し、前記ブラック画像が完成している区間と次の前記左眼用または前記右眼用画像が完成していない区間とを含む第３区間に光を遮断する、ように前記光源部を駆動する光源駆動部と、前記第１区間及び第２区間にハイレベルを有し、前記第３区間にローレベルを有するアナログの駆動制御信号と、前記第１区間に最大レベルを有し、前記第２区間に前記最大レベルから設定レベルまで徐々に減少するレベルを有し、前記第３区間に最小レベルを有するデジタルの輝度制御信号を前記光源駆動部に提供するタイミング制御部と、を含み、前記光源駆動部は、３次元イネーブル信号に応答して２次元画像モードで生成する電流信号より高い３次元画像モードに設定された電流信号を生成する電流生成部と、デジタルの制御信号をアナログの制御信号に変換する信号変換部と、前記電流信号に基づいて前記発光ブロックに駆動信号を提供する信号生成部と、を含み、前記アナログの駆動制御信号は、前記信号生成部に提供され、前記デジタルの輝度制御信号は前記信号変換部でアナログの輝度制御信号に変換されて前記信号生成部に提供され、前記信号生成部は、前記アナログの駆動制御信号及びアナログの輝度制御信号に基づいて複数の駆動信号を生成して前記発光ブロックに提供する複数の発光駆動部を含むことを特徴とする。
【００１６】
上述の本発明の目的を実現するための一実施形態に係る表示装置は、画像を表示する表示パネルと、前記画像がスキャニングされる方向に配列された複数の発光ブロックを含み、前記発光ブロックが各々対応する前記表示パネルの表示ブロックに光を提供する光源部と、前記表示ブロックに対して、左眼用または右眼用画像が完成している第１区間に最大輝度の光を発生し、前記左眼用または右眼用画像からブラック画像に変わる過渡画像が表示されている第２区間に前記最大輝度から設定輝度まで徐々に減少する光を発生し、前記ブラック画像が完成している区間と次の前記左眼用または前記右眼用画像が完成していない区間とを含む第３区間に光を遮断する、ように前記光源部を駆動する光源駆動部と、前記第１区間及び第２区間にハイレベルを有し、前記第３区間にローレベルを有するデジタルの駆動制御信号と、前記第１区間に最大レベルを有し、前記第２区間に前記最大レベルから設定レベルまで徐々に減少するレベルを有し、前記第３区間に最小レベルを有するデジタルの輝度制御信号を前記光源駆動部に提供するタイミング制御部と、を含み、前記光源駆動部は、３次元イネーブル信号に応答して２次元画像モードで生成する電流信号より高い３次元画像モードに設定された電流信号を生成する電流生成部と、デジタルの制御信号をアナログの制御信号に変換する信号変換部と、前記電流信号に基づいて前記発光ブロックに駆動信号を提供する信号生成部と、を含み、前記デジタルの駆動制御信号及び輝度制御信号は、前記信号変換部でアナログの駆動制御信号及び輝度制御信号に変換されて前記信号生成部に提供され、前記信号生成部は、前記アナログの駆動制御信号及びアナログの輝度制御信号に基づいて複数の駆動信号を生成して前記発光ブロックに提供する複数の発光駆動部を含むことを特徴とする。
【００１７】
上述の本発明の目的を実現するための一実施形態に係る表示装置は、画像を表示する表示パネルと、前記画像がスキャニングされる方向に配列された複数の発光ブロックを含み、前記発光ブロックが各々対応する前記表示パネルの表示ブロックに光を提供する光源部と、前記表示ブロックに対して、左眼用または右眼用画像が完成している第１区間に最大輝度の光を発生し、前記左眼用または右眼用画像からブラック画像に変わる過渡画像が表示されている第２区間に前記最大輝度から設定輝度まで徐々に減少する光を発生し、前記ブラック画像が完成している区間と次の前記左眼用または前記右眼用画像が完成していない区間とを含む第３区間に光を遮断する、ように前記光源部を駆動する光源駆動部と、前記第１区間に最大レベルを有し、前記第２区間に前記最大レベルから設定レベルまで徐々に減少するレベルを有し、前記第３区間に最小レベルを有するデジタルの光源制御信号を前記光源駆動部に提供するタイミング制御部と、を含み、前記光源駆動部は、３次元イネーブル信号に応答して２次元画像モードで生成する電流信号より高い３次元画像モードに設定された電流信号を生成する電流生成部と、デジタルの制御信号をアナログの制御信号に変換する信号変換部と、前記電流信号に基づいて前記発光ブロックに駆動信号を提供する信号生成部と、を含み、前記デジタルの光源制御信号は、前記信号変換部でアナログの光源制御信号に変換されて前記信号生成部に提供され、前記信号生成部は、前記アナログの光源制御信号に基づいて複数の駆動信号を生成して前記発光ブロックに提供する複数の発光駆動部を含むことを特徴とする。
【００１８】
本実施形態において、前記表示パネルに前記左眼用のデータ信号、前記ブラック画像のデータ信号、前記右眼用のデータ信号、及び前記ブラック画像のデータ信号を順次にフレーム単位で提供するパネル駆動部をさらに含むことができる。
【００１９】
本実施形態において、前記光源部は、前記表示ブロックに前記左眼用または右眼用画像のデータ信号が提供された時点より遅延された第１時点から第２時点まで前記最大輝度の光を前記表示ブロックに提供し、前記第１時点は前記左眼用または右眼用画像のデータ信号に対する前記表示ブロックの液晶応答率が高臨界値に到達する時点であって、前記第２時点は前記ブラック画像のデータ信号が提供された時点であることができる。
【００２０】
本実施形態において、前記光源部は、前記第２時点から第３時点まで前記徐々に減少する光を前記表示ブロックに提供し、前記第３時点は前記左眼用または右眼用画像のデータ信号に対する前記液晶応答率が低臨界値に到達する時点であることができる。
【発明の効果】
【００２１】
本発明の実施形態によれば、左眼用または右眼用画像でブラック画像に変わるときの過渡画像の液晶応答特性に従って光の輝度を調節することによって低消費電力且つ高輝度の３次元画像を表示できる。
【００２２】
また、前記左眼用または右眼用画像で前記ブラック画像に変わる区間で輝度を減らすことによって観察者が視認する前記３次元画像のクロストークを低減できる。従って、前記３次元画像の表示品質を向上できる。
【図面の簡単な説明】
【００２３】
【図１】本発明の一実施形態に係る表示装置のブロック図である。
【図２】図１に示した光源駆動部のブロック図である。
【図３】図２の光源駆動部によって３次元画像を表示する方法を説明するための波形図である。
【図４】図１の表示装置に係る３次元画像表示方法を説明するための概念図である。
【図５】本発明の他の実施形態に係る表示装置のブロック図である。
【図６】図５の表示装置に係る３次元画像の表示方法を説明するための波形図である。
【図７】本発明の他の実施形態に係る表示装置のブロック図である。
【図８】本発明の他の実施形態に係る表示装置のブロック図である。
【図９】本発明の他の実施形態に係る表示装置のブロック図である。
【発明を実施するための形態】
【００２４】
以下、図面を参照して本発明の望ましい実施形態をより詳細に説明する。
図１は本発明の一実施形態に係る表示装置のブロック図である。
図１を参照すれば、前記表示装置はタイミング制御部１００ａ、表示パネル２００、パネル駆動部３００、光源部４００、及び光源駆動部５００ａを含む。前記表示装置はメガネ部６００をさらに含む。
【００２５】
タイミング制御部１００ａは外部から原制御信号（ｓｏｕｒｃｅ＿ｃｏｎｔｒｏｌ＿ｓｉｇｎａｌ）及び画像信号を受信する。タイミング制御部１００ａは前記原制御信号に基づいてタイミング制御信号を生成し、前記画像信号に基づいて光源制御信号を生成する。
【００２６】
前記画像信号は２次元画像信号及び３次元画像信号を含む。前記３次元画像信号は左眼用画像フレーム、右眼用画像フレーム、及び前記左眼用画像フレームと前記右眼用画像フレームとの間に位置したブラック画像フレームを含む。前記画像フレームはフレーム単位の画像信号である。
【００２７】
前記光源制御信号は光源部４００をターン−オンまたはターン−オフする駆動制御信号（ＰＷＭ１〜ＰＷＭｎ）、及び光源部４００の輝度を制御する輝度制御信号（ＡＤＩＭ１〜ＡＤＩＭｎ）を含み、光源駆動部５００ａを介して光源部４００に入力される。タイミング制御部１００ａは表示パネル２００の液晶応答速度を考慮して駆動制御信号（ＰＷＭ１〜ＰＷＭｎ）及び輝度制御信号（ＡＤＩＭ１〜ＡＤＩＭｎ）を生成する。駆動制御信号（ＰＷＭ１〜ＰＷＭｎ）及び輝度制御信号（ＡＤＩＭ１〜ＡＤＩＭｎ）の詳細については後述する図面を参照して説明する。
【００２８】
表示パネル２００は複数のデータ配線ＤＬ、複数のゲート配線ＧＬ及び複数の画素Ｐを含む。ゲート配線ＧＬは第１方向Ｄ１に延び、第２方向Ｄ２に配列される。各画素Ｐはデータ配線ＤＬとゲート配線ＧＬに接続されたスイッチング素子ＴＲ及びスイッチング素子ＴＲに接続された液晶キャパシタＣＬＣを含む。特定の一本の選択されたゲート配線ＤＬに接続されたスイッチング素子ＴＲがターン−オンされるとデータ配線ＤＬに印加されたデータ信号によって液晶キャパシタＣＬＣの液晶分子が配列され、画素Ｐは前記配列された液晶分子の透過率に従って階調を表示する。表示パネル２００はプログレッシブ（Ｐｒｏｇｒｅｓｓｉｖｅ）方式で、即ちゲート配線ＤＬを順次選択することにより、画像をスキャン方向、すなわち第２方向Ｄ２に表示する。
【００２９】
パネル駆動部３００はデータ駆動部３１０及びゲート駆動部３２０を含む。データ駆動部３１０はタイミング制御部１００ａから提供された画像信号及びデータタイミング信号に基づいてアナログのデータ信号をデータ配線ＤＬに出力する。ゲート駆動部３２０はタイミング制御部１００ａから提供されたゲートタイミング信号に基づいてゲート信号をゲート配線ＧＬに出力する。
【００３０】
光源部４００は表示パネル２００にスキャン方向Ｄ２に光を順次に提供する。光源部４００は第２方向Ｄ２に配列された複数の発光ブロック（ＬＢ１，ＬＢ２，…，ＬＢｎ）を含む。各発光ブロックＬＢｉは発光ダイオードＬＥＤを含む。発光ブロック（ＬＢ１，ＬＢ２，…，ＬＢｎ）により表示パネル２００は複数の表示ブロック（ＤＢ１，ＤＢ２，…，ＤＢｎ）として定義され、各発光ブロックＬＢｉは該当する表示ブロックＤＢｉに光を提供する。ここで、ｉはｎ以下の自然数である。
【００３１】
本実施形態では、光源部４００は表示パネル２００の両側（図１で左右の辺）に配置された二つの発光モジュール、第１発光モジュール４１０及び第２発光モジュール４２０と、表示パネル２００の背面に配置されて第１発光モジュール４１０及び第２発光モジュール４２０から発生した光を表示パネル２００の方にガイドする導光板４３０と、を含む。第１発光モジュール４１０及び第２発光モジュール４２０は各々、発光ブロック（ＬＢ１，ＬＢ２，…，ＬＢｎ）を含む。ここでは表示パネル２００の両側の辺に配置された一対の発光モジュールを例としたが、単一の発光モジュールを表示パネル２００の一側の辺のみに配置する場合もある。
【００３２】
光源駆動部５００ａはタイミング制御部１００ａから提供された３次元イネーブル信号、駆動制御信号（ＰＷＭ１〜ＰＷＭｎ）及び輝度制御信号（ＡＤＩＭ１〜ＡＤＩＭｎ）に基づいて駆動信号を生成し、光源部４００を駆動する。光源部４００がｎ個の発光ブロック（ＬＢ１，ＬＢ２，…，ＬＢｎ）を含む場合、タイミング制御部１００ａは光源駆動部５００ａにｎ個の駆動制御信号（ＰＷＭ１〜ＰＷＭｎ）及びｎ個の輝度制御信号（ＡＤＩＭ１〜ＡＤＩＭｎ）を提供し、光源駆動部５００ａはこれらの光源制御信号に基き、駆動信号（Ｓ１，Ｓ２，…，Ｓｎ）を生成し、光源部４００に提供する。
【００３３】
例えば、光源駆動部５００ａは、第１駆動制御信号ＰＷＭ１に基づいて第１発光ブロックＬＢ１が光を発生するハイ時間区間（ｐｅｒｉｏｄ、以下、単に「区間」という）を制御し、第１輝度制御信号ＡＤＩＭ１に基づいて前記ハイ区間内で第１発光ブロックＬＢ１に印加される駆動信号Ｓ１のレベルを制御する。
【００３４】
メガネ部６００は左眼シャッタ６１０及び右眼シャッタ６２０を含み、タイミング制御部１００ａの制御によって左眼シャッタ６１０及び右眼シャッタ６２０を選択的に開閉する。
【００３５】
図２は図１に示した光源駆動部のブロック図である。図３は図２の光源駆動部によって３次元画像を表示する方法を説明するための波形図である。
【００３６】
図２を参照すれば、光源駆動部５００ａは電流生成部５１０及び信号生成部５３０を含む。
【００３７】
電流生成部５１０はタイミング制御部１００ａから画像モードを識別するための３次元イネーブル信号（３Ｄ＿ＥＮ）を受信し、３次元イネーブル信号（３Ｄ＿ＥＮ）に応答して３次元画像モードに設定された電流信号（Ｉ＿３Ｄ）を生成する。例えば、２次元画像モードでは第１電流信号（Ｉ＿２Ｄ）を生成し、前記３次元画像モードでは前記第１電流信号より高い第２電流信号（Ｉ＿３Ｄ）を生成する。
【００３８】
信号生成部５３０は複数の発光駆動部（５３１，５３２，…，５３８）を含む。発光駆動部（５３１，５３２，…，５３８）は駆動制御信号（ＰＷＭ１〜ＰＷＭｎ）及び輝度制御信号（ＡＤＩＭ１〜ＡＤＩＭｎ）に基づいて複数の駆動信号（Ｓ１，Ｓ２，…，Ｓｎ）を生成し、発光ブロック（ＬＢ１，ＬＢ２，…，ＬＢｎ）に駆動信号（Ｓ１，Ｓ２，…，Ｓｎ）を提供する。信号生成部５３０は一つのチップで具現できる。
【００３９】
図３を参照すれば、タイミング制御部１００ａは前記表示ブロックに出力されるデータ信号による液晶応答率ＬＲを考慮して前記表示ブロックに光を提供する発光ブロックを制御するための駆動制御信号ＰＷＭ及び輝度制御信号ＡＤＩＭを生成する。
【００４０】
例えば図３にデータ信号ＤＡＴＡ＿ＯＵＴとして示すように、表示パネル２００の各表示ブロックＬＢｉに対応して、第Ｎフレーム（Ｆ＿Ｎ）に左眼用データ信号Ｌが出力され、第（Ｎ＋１）フレーム（Ｆ＿Ｎ＋１）に第１ブラックデータ信号Ｂが出力され、第（Ｎ＋２）フレーム（Ｆ＿Ｎ＋２）に右眼用データ信号Ｒが出力され、第（Ｎ＋３）フレーム（Ｆ＿Ｎ＋３）に第２ブラックデータ信号Ｂが出力される。ここで、左眼用データ信号Ｌはホワイト画像に該当するホワイトデータ信号であり、右眼用データ信号Ｒはブラック画像に該当するブラックデータ信号である場合を例として説明する。
【００４１】
第Ｎフレーム（Ｆ＿Ｎ）において表示パネル２００に左眼用データ信号Ｌが印加された場合、液晶応答時間ＬＲＴに見合う時間をＴ１として、図３に液晶応答率ＬＲとして示すように、初期の第１区間Ｔ１は、直前フレームのブラック画像から前記左眼用データ信号Ｌに相当する画像に変わる過渡（ｔｒａｎｓｉｔｉｏｎ）画像が表示され前記左眼用画像が完成されない。一方、後期の第２区間Ｔ２には左眼用データ信号Ｌに該当する左眼用画像が完成される。
【００４２】
第（Ｎ＋１）フレーム（Ｆ＿Ｎ＋１）において、直前フレームの前記左眼用画像が表示された表示パネル２００に、第１ブラックデータ信号Ｂが印加された場合、液晶応答時間ＬＲＴに見合う時間をＴ１として、図３に液晶応答率ＬＲとして示すように、初期の第１区間Ｔ１は、前記左眼用画像から前記ブラック画像に変わる過渡画像が表示され前記ブラック画像が完成されない。一方、後期の第２区間Ｔ２にはブラックデータ信号Ｂに該当する第１ブラック画像が完成される。
【００４３】
第（Ｎ＋２）フレーム（Ｆ＿Ｎ＋２）において、直前フレームの前記ブラック画像が表示された表示パネル２００に、右眼用データ信号Ｒが印加された場合、液晶応答時間ＬＲＴに見合う時間をＴ１として、図３に液晶応答率ＬＲとして示すように、初期の第１区間Ｔ１は、前記第１ブラック画像から前記右眼用画像に変わる過渡画像が表示され前記右眼用画像が完成されない。一方、後期の第２区間Ｔ２には右眼用データ信号Ｒに該当する右眼用画像が完成される。
【００４４】
第（Ｎ＋３）フレーム（Ｆ＿Ｎ＋３）において、直前フレームの前記右眼用画像が表示された表示パネル２００に、第２ブラックデータ信号Ｂが印加された場合、液晶応答時間ＬＲＴに見合う時間をＴ１として、図３に液晶応答率ＬＲとして示すように、初期の第１区間Ｔ１は前記右眼用画像から前記第２ブラック画像に変わる過渡画像が表示され前記第２ブラック画像が完成されない。一方、後期の第２区間Ｔ２には第２ブラックデータ信号Ｂに該当する第２ブラック画像が表示される。
【００４５】
このように、液晶応答率ＬＲに従って表示ブロックＤＢｉに前記左眼用または右眼用画像及びブラック画像の未完成画像または完成画像が表示される区間を考慮して、タイミング制御部１００ａは表示ブロックＤＢｉに光を提供する発光ブロックＬＢｉの駆動制御信号ＰＷＭｉ及び輝度制御信号ＡＤＩＭｉを生成する。（ｉ＝１〜ｎ、ただし図３及び以下の説明では、「ｉ」を省略してある）
【００４６】
駆動制御信号ＰＷＭは前記発光ブロックをターン−オンするハイレベルＶＤを有するハイ区間ＨＰと前記発光ブロックをターン−オフするローレベルＧＮＤを有するロー区間ＬＰを有する。ハイ区間ＨＰは前記表示ブロックに前記左眼用画像が完成される第Ｎフレーム（Ｆ＿Ｎ）の第２区間Ｔ２と前記左眼用画像から前記ブラック画像に変わる第（Ｎ＋１）フレーム（Ｆ＿Ｎ＋１）の第１区間Ｔ１の一部区間を含む。ロー区間ＬＰは、第（Ｎ＋１）フレーム（Ｆ＿Ｎ＋１）の第１区間Ｔ１の残り区間と前記ブラック画像が完成された第（Ｎ＋１）フレーム（Ｆ＿Ｎ＋１）の第２区間Ｔ２及び前記ブラック画像から前記右眼用画像に変わる第（Ｎ＋２）フレーム（Ｆ＿Ｎ＋２）の第１区間Ｔ１を含む。
【００４７】
例えば、駆動制御信号ＰＷＭは前記左眼用または右眼用データ信号に対する液晶応答率ＬＲが高臨界値ＴＨ＿Ｈとなる第１時点（ｔｉｍｉｎｇ）ｔ１から前記ブラックデータ信号によって前記左眼用または右眼用データ信号に対する液晶応答率ＬＲが低臨界値ＴＨ＿Ｌとなる第３時点ｔ３までハイレベルＶＤを有するハイ区間と、前記ブラックデータ信号によって前記左眼用または右眼用データ信号に対する液晶応答率ＬＲが前記低臨界値より小さい時間区間から、次の前記左眼用または右眼用データ信号に対する液晶応答率ＬＲが、高臨界値となる時点までローレベルＧＮＤを有するロー区間を有する。以下においては液晶応答率ＬＲの前記高臨界値は最終値の９０％であり、低臨界値は最終値の３０％である場合を例として説明する。前記高臨界値及び前記低臨界値は多様に設定することができる。
【００４８】
輝度制御信号ＡＤＩＭは、駆動制御信号ＰＷＭのハイ区間ＨＰ内で液晶応答率ＬＲに従って変調される。輝度制御信号ＡＤＩＭは第１区間Ｉ１で最大レベルＶＤを有し、第２区間Ｉ２で最大レベルＶＤから設定レベルＶＳまで徐々に減少するレベルを有し、第３区間Ｉ３で最小レベルＧＮＤを有する。
【００４９】
第１区間Ｉ１は、前記左眼用または前記右眼用画像のデータ信号に対する液晶応答率ＬＲが９０％〜１００％の区間、即ち、前記表示ブロックに前記左眼用または前記右眼用画像のデータ信号が提供された時点から液晶応答時間ＬＲＴに見合う時間Ｔ１だけ遅延され、前記左眼用または前記右眼用画像が完成する第１時点ｔ１から前記ブラック画像のデータ信号が提供された第２時点ｔ２までである。
第２区間Ｉ２は第２時点ｔ２から、前記左眼用または前記右眼用画像のデータ信号に対する液晶応答率ＬＲが前記ブラック画像のデータ信号によって１００％から３０％に落ちる第３時点ｔ３までである。第２区間Ｉ２で輝度制御信号ＡＤＩＭは、液晶応答率ＬＲに合わせて最大レベルＶＤから設定レベルＶＳまで徐々に減少するレベルを有する。
第３区間Ｉ３は、前記ブラック画像のデータ信号によって左眼用または前記右眼用画像のデータ信号に対する液晶応答率ＬＲが３０％未満に落ちている時間区間と次のフレームに対応する左眼用及び右眼用データ信号に対する液晶応答率ＬＲが９０％に到達する第４時点ｔ４までの時間区間との和であって、第３時点ｔ３から第４時点ｔ４までである。
【００５０】
光源駆動部５００ａの信号生成部５３０は、駆動制御信号ＰＷＭｉ及び輝度制御信号ＡＤＩＭｉに基づいて駆動信号Ｓｉを生成して前記発光ブロックに提供する。駆動信号Ｓｉの波形は、輝度制御信号ＡＤＩＭｉの波形と相似又は実質的に同一であり、駆動信号Ｓｉの発生タイミングは駆動制御信号ＰＷＭｉにより決定される。
【００５１】
結果的に、前記発光ブロックは前記駆動信号に応答して前記発光ブロックに対応する表示ブロックに光を提供する。前記発光ブロックは前記表示ブロックに左眼用または右眼用画像が完成される第１区間Ｉ１に最大輝度の光を提供し、前記表示ブロックに左眼用または右眼用画像からブラック画像に変わる過渡画像が表示される第２区間Ｉ２には最大輝度から設定輝度まで徐々に減少する光を提供し、前記表示ブロックに前記ブラック画像が完成された区間と、次の前記左眼用または右眼用画像が完成されていない区間とを含む第３区間Ｉ３には光を遮断する。
【００５２】
前記３次元画像モードで、左眼用または右眼用画像からブラック画像に変わる過渡画像の液晶応答時間を考慮して光の輝度を調節することによって低消費電力で高輝度の３次元画像を表示できる。即ち、図３のＰＯＷＥＲ＿ＳＡＶＩＮＧ（ハッチ部分）で示したように、第２区間Ｉ２で前記輝度を徐々に減少させて消費電力を節約できる。この時、節約された消費電力を前記３次元画像モードに適用される電流信号（Ｉ＿３Ｄ）のブースティングに使うことによって前記３次元画像を高輝度で表示できる。
【００５３】
また、前記左眼用または右眼用画像から前記ブラック画像に変わる第２区間で輝度を徐々に減少することによって観察者が視認する前記３次元画像のクロストークを低減できる。従って、前記３次元画像の表示品質を向上できる。
【００５４】
図４は図１の表示装置に係る３次元画像表示方法を説明するための概念図である。
図１、図２及び図４を参照すれば、光源部４００は第１〜第８発光ブロック（ＬＢ１，ＬＢ２，…，ＬＢ８）を含む。第１〜第８発光ブロック（ＬＢ１，ＬＢ２，…，ＬＢ８）は表示パネル２００の第１〜第８表示ブロック（ＤＢ１，ＤＢ２，…，ＤＢ８）に光を提供する。
【００５５】
タイミング制御部１００ａはパネル駆動部３００に２４０Ｈｚの左眼用画像フレームＬ、ブラック画像フレームＢ、右眼用画像フレームＲ及びブラック画像フレームＢを提供する。ここで、左眼用画像フレームＬはホワイト画像フレームで、右眼画像フレームＲはブラック画像フレームである場合を例として説明する。
なお、図３、図４において、左眼用画像フレームＬ、右眼画像フレームＲ共に一般の場合、即ち、ブラック以外のフレームの場合は全て、図３、図４における左眼用画像フレーム（ホワイト画像フレーム）と同一の光源制御信号（駆動制御信号ＰＷＭｉ及び輝度制御信号ＡＤＩＭｉ）、従って、同一の駆動信号Ｓｉが適用される。
【００５６】
パネル駆動部３００は、図４にデータ信号ＤＢｉ＿ＤＡＴＡ（ｉ＝１〜８）として示すように、第Ｎフレーム（Ｆ＿Ｎ）に左眼用画像フレームＬのデータ信号を表示パネル２００に提供し、第（Ｎ＋１）フレーム（Ｆ＿Ｎ＋１）に第１ブラック画像フレームＢのデータ信号を表示パネル２００に提供し、第（Ｎ＋２）フレーム（Ｆ＿Ｎ＋２）に右眼用画像フレームＲのデータ信号を表示パネル２００に提供し、第（Ｎ＋３）フレーム（Ｆ＿Ｎ＋３）に第２ブラック画像フレームＢのデータ信号を表示パネル２００に提供する。表示パネル２００は、前記データ信号が印加された時点から液晶応答速度に見合う液晶応答時間ＬＲＴだけ遅延して前記データ信号に該当する画像を完成する。
【００５７】
タイミング制御部１００ａは光源駆動部５００ａに第１〜第８駆動制御信号（ＰＷＭ１，ＰＷＭ２，…，ＰＷＭ８）及び第１〜第８輝度制御信号（ＡＤＩＭ１，ＡＤＩＭ２，…，ＡＤＩＭ８）を提供する。
図４に示すようにデータ信号（ＤＢ１＿ＤＡＴＡ，ＤＢ２＿ＤＡＴＡ，…，ＤＢ８＿ＤＡＴＡ）は各フレーム内で順次スタガーされており、第１〜第８駆動制御信号（ＰＷＭ１，ＰＷＭ２，…，ＰＷＭ８）及び第１〜第８輝度制御信号（ＡＤＩＭ１，ＡＤＩＭ２，…，ＡＤＩＭ８）は、データ信号に同期してスタガーされる。
【００５８】
先ず、第１表示ブロックＤＢ１及び第１表示ブロックＤＢ１に対応する第１発光ブロックＬＢ１の駆動方式を説明する。
【００５９】
第１表示ブロックＤＢ１には第Ｎフレーム（Ｆ＿Ｎ）の初期から左眼用画像フレームＬのデータ信号が提供され、第（Ｎ＋１）フレーム（Ｆ＿Ｎ＋１）の初期からブラック画像フレームＢのデータ信号が提供され、第（Ｎ＋２）フレーム（Ｆ＿Ｎ＋２）の初期から右眼用画像フレームＲのデータ信号が提供され、第（Ｎ＋３）フレーム（Ｆ＿Ｎ＋３）の初期からブラック画像フレームＢのデータ信号が提供される（ＤＢ１＿ＤＡＴＡ）。
【００６０】
第１駆動制御信号ＰＷＭ１及び第１輝度制御信号ＡＤＩＭ１は光源駆動部５００ａの第１発光駆動部５３１に提供される。第１駆動制御信号ＰＷＭ１はハイレベルを有するハイ区間とローレベルを有するロー区間を含む。前記ハイ区間は第１表示ブロックＤＢ１に提供された左眼用データ信号Ｌまたは右眼用データ信号Ｒに対して液晶応答率が１００％になった時点から、ブラックデータ信号Ｂに対して液晶応答率が１００％から３０％に落ちた時点までであり、前記ロー区間はブラックデータ信号Ｂに対して液晶応答率が３０％に落ちた時点から次のフレームの左眼用データ信号Ｌまたは右眼用データ信号Ｒに対して液晶応答率が１００％になる時点までである。
【００６１】
第１輝度制御信号ＡＤＩＭ１は第１駆動制御信号ＰＷＭ１の周期と同期した周期を有し、第１駆動制御信号ＰＷＭ１のハイ区間内で液晶応答率に同期して変調される。第１輝度制御信号ＡＤＩＭ１は液晶応答率が１００％の第１区間で最大レベルを有し、液晶応答率が１００％から３０％に落ちる第２区間で液晶応答率に比例して前記最大レベルから前記最大レベルの３０％に該当する設定レベルまで徐々に減少するレベルを有する。
【００６２】
第１発光駆動部５３１は第１駆動制御信号ＰＷＭ１及び第１輝度制御信号ＡＤＩＭ１に基づいて第１駆動信号Ｓ１を生成して第１発光ブロックＬＢ１に含まれた複数の発光ダイオードに提供する。従って、第１発光ブロックＬＢ１は第１表示ブロックＤＢ１の左眼用または右眼用画像が完成される区間に最大輝度の光を提供し、第１表示ブロックＤＢ１の左眼用または右眼用画像がブラック画像に変わる区間には最大輝度から設定された輝度にまで徐々に減少する光を提供し、第１表示ブロックＤＢ１の前記ブラック画像が完成される区間と前記ブラック画像から前記左眼用または前記右眼用画像に変わる区間に光を遮断する。
【００６３】
次に、第５表示ブロックＤＢ５及び第５表示ブロックＤＢ５に光を提供する第５発光ブロックＬＢ５の駆動方式を説明する。
【００６４】
第５表示ブロックＤＢ５には第Ｎフレーム（Ｆ＿Ｎ）の中期から左眼用画像フレームＬの左眼用データ信号が提供され、第（Ｎ＋１）フレーム（Ｆ＿Ｎ＋１）の中期からブラック画像フレームＢのブラックデータ信号が提供され、第（Ｎ＋２）フレーム（Ｆ＿Ｎ＋２）の中期から右眼用画像フレームＲの右眼用データ信号が提供され、第（Ｎ＋３）フレーム（Ｆ＿Ｎ＋３）の中期からブラック画像フレームＢのブラックデータ信号が提供される（ＤＢ５＿ＤＡＴＡ）。
【００６５】
第５駆動制御信号ＰＷＭ５及び第５輝度制御信号ＡＤＩＭ５は、光源駆動部５００ａの第５発光駆動部５３５に提供される。第５駆動制御信号ＰＷＭ５は第５表示ブロックＤＢ５に提供された左眼用データ信号Ｌまたは右眼用データ信号Ｒに対して液晶応答率が１００％になった時点から、前記ブラックデータ信号に対して液晶応答率が１００％から３０％に落ちた時点までハイレベルを有し、次のフレームの左眼用データ信号Ｌまたは右眼用データ信号Ｒに対して液晶応答率が１００％になる時点までローレベルを有する。
【００６６】
第５輝度制御信号ＡＤＩＭ５は第５駆動制御信号ＰＷＭ５の周期と同期した周期を有し、第５駆動制御信号ＰＷＭ５のハイ区間内で液晶応答率に同期して変調される。第５輝度制御信号ＡＤＩＭ５は前記液晶応答率が１００％の第１区間で最大レベルを有し、前記液晶応答率が１００％から３０％に落ちる第２区間において、前記液晶応答率に比例して前記最大レベルから前記最大レベルの３０％に該当する設定レベルまで徐々に減少するレベルを有する。
【００６７】
第５発光駆動部５３５は第５駆動制御信号ＰＷＭ５及び第５輝度制御信号ＡＤＩＭ５に基づいて第５駆動信号Ｓ５を生成して第５発光ブロックＬＢ５に含まれた複数の発光ダイオードに提供する。従って、第５発光ブロックＬＢ５は第５表示ブロックＤＢ５に左眼用または右眼用画像が完成される区間に最大輝度の光を提供し、第５表示ブロックＤＢ５の左眼用または右眼用画像がブラック画像に変わる区間には最大輝度から設定された輝度にまで徐々に減少する光を提供し、第５表示ブロックＤＢ５の前記ブラック画像が完成される区間と前記ブラック画像から前記左眼用または前記右眼用画像に変わる区間に光を遮断する。
【００６８】
次に、最後の表示ブロックである、第８表示ブロックＤＢ８及び第８表示ブロックＤＢ８に光を提供する第８発光ブロックＬＢ８の駆動方式を説明する。
【００６９】
第８表示ブロックＤＢ８には第Ｎフレーム（Ｆ＿Ｎ）の後期から左眼用画像フレームＬの左眼用データ信号が提供され、第（Ｎ＋１）フレーム（Ｆ＿Ｎ＋１）の後期から第１ブラック画像フレームＢのブラックデータ信号が提供され、第（Ｎ＋２）フレーム（Ｆ＿Ｎ＋２）の後期から右眼用画像フレームＲの右眼用データ信号が提供され、第（Ｎ＋３）フレーム（Ｆ＿Ｎ＋３）の後期から第２ブラック画像フレームＢのブラックデータ信号が提供される（ＤＢ８＿ＤＡＴＡ）。
【００７０】
第８駆動制御信号ＰＷＭ８及び第８輝度制御信号ＡＤＩＭ８は光源駆動部５００ａの第８発光駆動部５３８に提供される。第８輝度制御信号ＡＤＩＭ８は第８駆動制御信号ＰＷＭ８の周期と同期した周期を有し、第８駆動制御信号ＰＷＭ８のハイ区間内で液晶応答特性に同期して変調される。第８輝度制御信号ＡＤＩＭ８は前記液晶応答率が１００％の区間で最大レベルを有し、前記液晶応答率が１００％から３０％に落ちる区間で、前記液晶応答率に比例して前記最大レベルから前記最大レベルの３０％に該当する設定レベルに漸進的に変わる。
【００７１】
光源駆動部５００ａの第８発光駆動部５３８は第８駆動制御信号ＰＷＭ８及び第８輝度制御信号ＡＤＩＭ８に基づいて第８駆動信号Ｓ８を生成して第８発光ブロックＬＢ８に含まれた複数の発光ダイオードに提供する。従って、第８発光ブロックＬＢ８は第８表示ブロックＤＢ８に左眼用または右眼用画像が完成される区間に最大輝度の光を提供し、第８表示ブロックＤＢ８の左眼用または右眼用画像でブラック画像に変わる区間には最大輝度から設定された輝度に徐々に減少する光を提供し、第８表示ブロックＤＢ８の前記ブラック画像が完成される区間と前記ブラック画像から前記左眼用または前記右眼用画像に変わる区間に光を遮断する。
【００７２】
このように、前記表示装置は表示パネル２００及び光源部４００の動作に従って３次元画像が表示する。
【００７３】
一方、前記表示装置に表示された前記３次元画像はメガネ部６００を通じて観察者に視認される。
【００７４】
図４に示したように、第１〜第８表示ブロック（ＤＢ１，ＤＢ２，…，ＤＢ８）の全てに前記左眼用画像が表示される区間に左眼シャッタ信号ＬＳＳはハイレベルを有し、反面右眼シャッタ信号ＲＳＳはローレベルを有する。また、第１〜第８表示ブロック（ＤＢ１，ＤＢ２，…，ＤＢ８）の全てに前記右眼用画像が表示される区間に右眼シャッタ信号ＲＳＳはハイレベルを有する反面、左眼シャッタ信号ＬＳＳはローレベルを有する。メガネ部６００の左眼シャッタ６１０及び右眼シャッタ６２０は、表示パネル２００に表示される前記左眼用画像及び前記右眼用画像に同期された左眼シャッタ信号ＬＳＳ及び右眼シャッタ信号ＲＳＳに応答して駆動することによって観察者は３次元画像を視認する。
【００７５】
図５は本発明の他の実施形態に係る表示装置のブロック図である。図６は図５の表示装置に係る３次元画像の表示方法を説明するための波形図である。
【００７６】
本実施形態に係る表示装置は図１で説明した表示装置とタイミング制御部１００ｂ及び光源駆動部５００ｂを除いては実質的に同一である。以下では、同じ構成要素に対しては同じ図面符号を与え、これに対する詳細な説明は繰り返さず省略する。
【００７７】
図５及び図６を参照すれば、タイミング制御部１００ｂは光源駆動部５００ｂに複数の光源制御信号（ＰＷＭ＿ＤＩＭ１，ＰＷＭ＿ＤＩＭ２，…，ＰＷＭ＿ＤＩＭｎ）を提供する。各光源制御信号は図３に示した駆動制御信号ＰＷＭと輝度制御信号ＡＤＩＭを一つとして処理した信号である。
【００７８】
光源駆動部５００ｂは電流生成部５１０及び信号生成部５３０を含む。
電流生成部５１０はタイミング制御部１００ａから画像モードを識別するための３次元イネーブル信号（３Ｄ＿ＥＮ）を受信し、３次元イネーブル信号（３Ｄ＿ＥＮ）に応答して３次元画像モードに設定された電流信号（Ｉ＿３Ｄ）を生成する。
【００７９】
信号生成部５３０は複数の発光駆動部（５３１，５３２，…，５３８）を含む。発光駆動部（５３１，５３２，…，５３８）は光源制御信号（ＰＷＭ＿ＤＩＭ１〜ＰＷＭ＿ＤＩＭｎ）に基づいて時間変調した複数の駆動信号（Ｓ１，Ｓ２，…，Ｓｎ）を生成して発光ブロック（ＬＢ１，ＬＢ２，…，ＬＢｎ）に提供する。
【００８０】
例えば、前記表示ブロックに対して、第Ｎフレーム（Ｆ＿Ｎ）に左眼用データ信号Ｌが出力され、第（Ｎ＋１）フレーム（Ｆ＿Ｎ＋１）に第１ブラックデータ信号Ｂが出力され、第（Ｎ＋２）フレーム（Ｆ＿Ｎ＋２）に右眼用データ信号Ｒが出力され、第（Ｎ＋３）フレーム（Ｆ＿Ｎ＋３）に第２ブラックデータ信号Ｂが出力される。前記表示ブロックは、液晶応答時間ＬＲＴに基づき前記データ信号が印加されるタイミングに合わせて前記データ信号に該当する完成した画像を表示する。
【００８１】
このように液晶応答時間ＬＲＴに従って表示パネル２００に前記左眼用または右眼用画像、及び前記ブラック画像が表示される区間を考慮してタイミング制御部１００ｂは光源制御信号（ＰＷＭ＿ＤＩＭ）を生成する。
【００８２】
光源制御信号（ＰＷＭ＿ＤＩＭ）は前記左眼用または右眼用データ信号に対する液晶応答率ＬＲが１００％の第１区間Ｉ１は最大レベルＶＤを有し、前記ブラックデータ信号によって前記液晶応答率ＬＲが１００％から３０％に落ちる第２区間Ｉ２には前記液晶応答率に従って前記最大レベルＶＤから前記最大レベルの３０％に該当する設定レベルＶＳまで徐々に減少するレベルを有する。そして、光源制御信号（ＰＷＭ＿ＤＩＭ）は前記左眼用または右眼用データ信号に対する液晶応答率ＬＲが３０％から次に提供される左眼用または右眼用データ信号に対して液晶応答率ＬＲが１００％に到達するまでの、第３区間Ｉ３には最小レベルＧＮＤを有する。
【００８３】
信号生成部５３０は光源制御信号（ＰＷＭ＿ＤＩＭ１〜ＰＷＭ＿ＤＩＭｎ）に基づいて複数の駆動信号（Ｓ１，Ｓ２，…，Ｓｎ）を生成し、発光ブロック（ＬＢ１，ＬＢ２，…，ＬＢｎ）に駆動信号（Ｓ１，Ｓ２，…，Ｓｎ）を提供する。
【００８４】
結果的に前記左眼用または右眼用画像でブラック画像に変わる第２区間Ｉ２に、最大輝度から設定輝度まで徐々に減少する光を前記表示パネルに提供することによって、低消費電力で高輝度の３次元画像を表示できる。
【００８５】
また、前記左眼用または右眼用画像から前記ブラック画像に変わる区間の輝度を減らすことによって観察者が視認する前記３次元画像のクロストークを低減できる。従って、前記３次元画像の表示品質を向上できる。
【００８６】
図７は本発明の他の実施形態に係る表示装置のブロック図である。
図７を参照すれば、本実施形態に係る表示装置はタイミング制御部１００ｃ及び光源駆動部５００ｃを含む。
【００８７】
タイミング制御部１００ｃは光源駆動部５００ｃに複数の駆動制御信号（ＰＷＭ１〜ＰＷＭｎ）及びデジタル形態の複数の第１輝度制御信号（ＤＤＩＭ１、ＤＤＩＭ２〜ＤＤＩＭｎ）を提供する。第１輝度制御信号（ＤＤＩＭ１〜ＤＤＩＭｎ）は各々、表示パネルの応答速度が考慮された輝度制御信号である。
【００８８】
光源駆動部５００ｃは電流生成部５１０、信号変換部５２０及び信号生成部５３０を含む。
【００８９】
電流生成部５１０は上で説明した実施形態と実質的に同一であり、３次元イネーブル信号に応答して電流信号（３Ｄ＿Ｅｎ）を生成する。
【００９０】
信号変換部５２０はタイミング制御部１００ｃから提供された前記デジタル形態の第１輝度制御信号（ＤＤＩＭ１〜ＤＤＩＭｎ）をアナログ形態の第２輝度制御信号（ＡＤＩＭ１〜ＡＤＩＭｎ）に変換する。タイミング制御部１００ｃと信号変換部５２０間のデジタルデータ通信方式（例えば、Ｉ２Ｃ、ＳＰＩなど）からなる。
【００９１】
信号生成部５３０は複数の発光駆動部（５３１，５３２，…，５３８）を含む。発光駆動部（５３１，５３２，…，５３８）には駆動制御信号（ＰＷＭ１〜ＰＷＭｎ）及び第２輝度制御信号（ＡＤＩＭ１〜ＡＤＩＭｎ）が提供される。発光駆動部（５３１，５３２，…，５３８）は駆動制御信号（ＰＷＭ１〜ＰＷＭｎ）及び第２輝度制御信号（ＡＤＩＭ１〜ＡＤＩＭｎ）に基づいて時間変調した複数の駆動信号（Ｓ１，Ｓ２，…，Ｓｎ）を生成して発光ブロック（ＬＢ１，ＬＢ２，…，ＬＢｎ）に提供する。
【００９２】
図８は本発明の他の実施形態に係る表示装置のブロック図である。
図８を参照すれば、本実施形態に係る表示装置はタイミング制御部１００ｄ及び光源駆動部５００ｄを含む。
【００９３】
タイミング制御部１００ｄは光源駆動部５００ｄにデジタル形態の複数の第１駆動制御信号（ＤＰＷＭ１〜ＤＰＷＭｎ）及び複数の第１輝度制御信号（ＤＤＩＭ１〜ＤＤＩＭｎ）を提供する。
【００９４】
光源駆動部５００ｄは電流生成部５１０、信号変換部５２０及び信号生成部５３０を含む。
【００９５】
電流生成部５１０は上で説明した実施形態と実質的に同一であり、３次元イネーブル信号に応答して電流信号（３Ｄ＿Ｅｎ）を生成する。
【００９６】
信号変換部５２０はタイミング制御部１００ｄから提供された前記デジタル形態の第１駆動制御信号（ＤＰＷＭ１〜ＤＰＷＭｎ）をアナログ形態の第２駆動制御信号（ＰＷＭ１〜ＰＷＭｎ）に変換する。信号変換部５２０はタイミング制御部１００ｄから提供された前記デジタル形態の第１輝度制御信号（ＤＤＩＭ１〜ＤＤＩＭｎ）をアナログ形態の第２輝度制御信号（ＡＤＩＭ１〜ＡＤＩＭｎ）に変換する。タイミング制御部１００ｄと信号変換部５２０間のデジタルデータ通信方式は例えば、Ｉ２Ｃ、ＳＰＩである。
【００９７】
信号生成部５３０は複数の発光駆動部（５３１，５３２，…，５３８）を含む。発光駆動部（５３１，５３２，…，５３８）には第２駆動制御信号（ＰＷＭ１〜ＰＷＭｎ）及び第２輝度制御信号（ＡＤＩＭ１〜ＡＤＩＭｎ）が提供される。発光駆動部（５３１，５３２，…，５３８）は第２駆動制御信号（ＰＷＭ１〜ＰＷＭｎ）及び第２輝度制御信号（ＡＤＩＭ１〜ＡＤＩＭｎ）に基づいて時間変調した複数の駆動信号（Ｓ１，Ｓ２，…，Ｓｎ）を生成して発光ブロック（ＬＢ１，ＬＢ２，…，ＬＢｎ）に提供する。
【００９８】
図９は本発明の他の実施形態に係る表示装置に対するブロック図である。
図９を参照すれば、本実施形態に係る表示装置はタイミング制御部１００ｅ及び光源駆動部５００ｅを含む。
【００９９】
タイミング制御部１００ｅは光源駆動部５００ｅにデジタル形態の複数の第１光源制御信号（ＤＰＷＭ＿ＤＩＭ１〜ＤＰＷＭ＿ＤＩＭｎ）を提供する。
【０１００】
光源駆動部５００ｅは電流生成部５１０、信号変換部５２０及び信号生成部５３０を含む。
【０１０１】
電流生成部５１０は上で説明した実施形態と実質的に同一であり、３次元イネーブル信号に応答して電流信号（３Ｄ＿Ｅｎ）を生成する。
【０１０２】
信号変換部５２０はタイミング制御部１００ｅから提供された前記デジタル形態の第１光源制御信号（ＤＰＷＭ＿ＤＩＭ１〜ＤＰＷＭ＿ＤＩＭｎ）をアナログ形態の第２光源制御信号（ＰＷＭ＿ＤＩＭ１〜ＰＷＭ＿ＤＩＭｎ）に変換する。第２光源制御信号（ＰＷＭ＿ＤＩＭ１〜ＰＷＭ＿ＤＩＭｎ）は上で説明した実施形態に係る光源制御信号（ＰＷＭ＿ＤＩＭ１〜ＰＷＭ＿ＤＩＭｎ）と実質的に同一である。タイミング制御部１００ｅと信号変換部５２０との間のデジタルデータ通信方式は例えば、Ｉ２Ｃ、ＳＰＩである。
【０１０３】
信号生成部５３０は複数の発光駆動部（５３１，５３２，…，５３８）を含む。発光駆動部（５３１，５３２，…，５３８）には第２光源制御信号（ＰＷＭ＿ＤＩＭ１〜ＰＷＭ＿ＤＩＭｎ）が提供される。発光駆動部（５３１，５３２，…，５３８）は第２光源制御信号（ＰＷＭ＿ＤＩＭ１〜ＰＷＭ＿ＤＩＭｎ）に基づいて時間変調された複数の駆動信号（Ｓ１，Ｓ２，…，Ｓｎ）を生成して発光ブロック（ＬＢ１，ＬＢ２，…，ＬＢｎ）に提供する。
【０１０４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【０１０５】
以上の本発明の実施形態によると、３次元画像モードにおいて、左眼用または右眼用画像からブラック画像に変わるときの過渡画像の液晶応答特性を考慮して光の輝度を調節することによって低消費電力且つ高輝度の３次元画像を表示できる。また、前記左眼用または右眼用画像で前記ブラック画像に変わる区間で輝度を減らすことによって観察者が視認する前記３次元画像のクロストークを低減できる。従って、前記３次元画像の表示品質を向上できる。
【符号の説明】
【０１０６】
１００ａ、１００ｂ、１００ｃ、１００ｄ、１００ｅ      タイミング制御部
２００      表示パネル
３００      パネル駆動部
３１０      データ駆動部
３２０      ゲート駆動部
４００      光源部
４１０      第１発光モジュール
４２０      第２発光モジュール
４３０      導光板
５００ａ、５００ｂ、５００ｃ、５００ｄ、５００ｅ      光源駆動部
５１０      電流生成部
５２０      信号変換部
５３０      信号生成部
５３１、５３２、５３３、…、５３８      第１、第２、第３、…、第ｎ発光駆動部
６００      メガネ部
６１０      左眼シャッタ
６２０      右眼シャッタ
【図１】
0006025368.tif 000002
【図２】
0006025368.tif 000003
【図３】
0006025368.tif 000004
【図４】
0006025368.tif 000005
【図５】
0006025368.tif 000006
【図６】
0006025368.tif 000007
【図７】
0006025368.tif 000008
【図８】
0006025368.tif 000009
【図９】
0006025368.tif 000010